(57)【要約】【課題】  出力系統毎に、接続可能な複数の入力系統を、選択的に切り換えることができるスイッチャーを提供する。【解決手段】  複数の入力系統のいずれかを出力系統に選択的に接続させるスイッチからなるスイッチマトリックス回路、出力系統と入力系統の接続状態を単色ＬＥＤの点灯によって表示する単色ＬＥＤマトリックス回路、スイッチマトリックス回路と単色ＬＥＤマトリックス回路を制御する制御部と、を有し、制御部が、出力系統から出力される映像信号と音声信号が同じ入力系統から入力される映像信号と音声信号である接続状態における単色ＬＥＤの点灯状態と、出力系統から出力される映像信号と音声信号が異なる入力系統から入力される映像信号と音声信号である接続状態における単色ＬＥＤの点灯状態と、を異ならせるスイッチャーによる。【選択図】図１
2013021605.tif 000002
【特許請求の範囲】
【請求項１】
複数の入力系統のいずれかを出力系統に選択的に接続するマトリックススイッチャーであって、
上記出力系統に接続される上記入力系統を、選択的に切り換えて接続させるスイッチからなるスイッチマトリックス回路と、
上記出力系統と上記入力系統の接続状態を単色ＬＥＤの点灯状態によって表示する単色ＬＥＤマトリックス回路と、
上記スイッチマトリックス回路における接続状態と、上記単色ＬＥＤマトリックス回路における単色ＬＥＤの点灯状態と、を制御する制御部と、を有し、
上記制御部は、
上記出力系統から出力される映像信号と音声信号が同じ入力系統から入力される映像信号と音声信号である接続状態（以下、「第１接続状態」という。）における上記単色ＬＥＤの点灯状態と、
上記出力系統から出力される映像信号と音声信号が異なる入力系統から入力される映像信号と音声信号である接続状態（以下、「第２接続状態」という。）における上記単色ＬＥＤの点灯状態と、を異ならせることを特徴とするマトリックススイッチャー。
【請求項２】
上記スイッチマトリックス回路は、
上記出力系統に接続可能な上記入力系統に対応する選択スイッチと、
上記出力系統と上記入力系統との接続状態を選択する接続状態選択スイッチと、を有し、
上記制御部は、
上記接続状態選択スイッチの操作状況に応じて、上記選択スイッチの操作による上記スイッチの接続状態を、上記第１接続状態と上記第２接続状態のいずれにするかを制御する、請求項１記載のマトリックススイッチャー。
【請求項３】
上記スイッチマトリックス回路は、
上記出力系統に接続可能な上記入力系統に対応する選択スイッチと、
上記出力系統と上記入力系統との接続状態を選択する接続状態選択スイッチと、を有し、
上記制御部は、
上記接続状態選択スイッチと上記選択スイッチが同時に操作されたとき、当該選択スイッチに係る出力系統が上記第２接続状態となるように、上記スイッチマトリックス回路における接続状態を制御する、請求項１記載のマトリックススイッチャー。
【請求項４】
上記スイッチマトリックス回路は、
上記出力系統に接続可能な上記入力系統に対応する選択スイッチと、
上記出力系統と上記入力系統との接続状態を選択する接続状態選択スイッチと、を有し、
上記制御部は、
上記接続状態選択スイッチと上記選択スイッチが同時に操作されたとき、当該選択スイッチに係る出力系統が上記第１接続状態となるように、上記スイッチマトリックス回路における接続状態を制御する、請求項１記載のマトリックススイッチャー。
【請求項５】
上記スイッチマトリックス回路は、
上記出力系統に接続可能な上記入力系統に対応する選択スイッチと、
上記出力系統と上記入力系統との接続状態を選択する接続状態選択スイッチと、を有し、
上記制御部は、
上記選択スイッチが操作される前に操作された上記接続状態選択スイッチの状態が、上記第１接続状態に係るモード（以下、「第１接続モード」という。）であれば、その後に上記選択スイッチが操作されたとき、当該選択スイッチに係る出力系統が上記第１接続状態となるように、
また、上記選択スイッチが操作される前に操作された上記接続状態選択スイッチの状態が、上記第２接続状態に係るモード（以下、「第２接続モード」という。）であれば、その後に上記選択スイッチが操作されたとき、当該選択スイッチに係る出力系統が上記第２接続状態となるように、上記スイッチマトリックス回路における接続状態を制御する、請求項１記載のマトリックススイッチャー。
【請求項６】
上記制御部は、
上記第１接続状態では上記単色ＬＥＤを全点灯とし、
上記第２接続状態では上記単色ＬＥＤを全点灯と半点灯の混在とする、ことを特徴とする請求項１記載のマトリックススイッチャー。
【請求項７】
上記制御部は、
上記第１接続状態では上記単色ＬＥＤを全点灯と半点灯の混在とし、
上記第２接続状態では上記単色ＬＥＤを全点灯とする、ことを特徴とする請求項１記載のマトリックススイッチャー。
【請求項８】
上記制御部は、
上記単色ＬＥＤへ供給される電流を制御することで、上記単色ＬＥＤの点灯状態を全点灯とするか半点灯するかを制御する、ことを特徴とする請求項６または７記載のマトリックススイッチャー。
【請求項９】
上記制御部は、
上記全点灯では、上記単色ＬＥＤに一定の値以上の電流を供給し、
上記半点灯では、上記単色ＬＥＤにパルス状に変動する電流を供給する、ことを特徴とする請求項８記載のマトリックススイッチャー。
【請求項１０】
上記制御部が半点灯させる上記単色ＬＥＤに供給する電流のパルス幅は、デューティ比が略０．１から略０．７であることを特徴とする請求項９記載のマトリックススイッチャー。
【請求項１１】
上記制御部は、
上記全点灯では、上記単色ＬＥＤに一定の値以上の電流を供給し、
上記半点灯では、上記単色ＬＥＤに上記一定の値よりは小さい値の電流を供給する、ことを特徴とする請求項８記載のマトリックススイッチャー。
【請求項１２】
上記スイッチマトリックス回路は、上記出力系統に、上記入力系統との接続を解除させる接続解除スイッチ、を有し、
上記制御部は、
上記出力系統に、いずれの入力系統も接続されていない状態においては
上記接続解除スイッチに対応する上記単色ＬＥＤを点灯させる、ことを特徴とする請求項１乃至１１のいずれかに記載のマトリックススイッチャー。
【発明の詳細な説明】
【技術分野】
【０００１】
本発明は、出力系統ごとに接続可能な複数の入力系統を、選択的に切り換えることができるマトリックススイッチャーに関するものである。
【背景技術】
【０００２】
出力系統ごとに映像信号と音声信号の入力系統を選択して切り換えることができるマトリックススイッチャーが知られている。各出力系統と各入力系統は、それぞれ少なくとも一組の映像信号用端子と音声信号用端子を有してなる。マトリックススイッチャーの筐体外面には、複数の選択ボタンが配置されており、この選択ボタンに対する所定の操作によって、各出力系統に接続される入力系統が選択されるように構成されている。すなわち、選択ボタンは、各出力系統に、接続可能な入力系統の数に相当する数だけ配置される。
【０００３】
所定の操作とは、例えば、選択ボタンの押下操作である。選択ボタンが押下されると、当該操作ボタンに対応する出力系統において、選択された１の入力系統が接続される。このとき、当該出力系統の映像出力端子には、当該入力系統の映像入力端子が接続され、当該出力系統の音声出力端子には、当該入力系統の音声入力端子が接続される。つまり、１つの入力系統からの映像信号と音声信号が１の出力系統に出力される接続状態となる。
【０００４】
近年、出力系統ごとに、異なる入力系統の映像入力端子と音声入力端子を接続でき、また、接続される機器の制御信号の接続も選択的に切り換えることができるマトリックススイッチャーが知られている（例えば特許文献１を参照）。
【０００５】
特許文献１に記載されているマトリックススイッチャーは、複数の接続状態を区別するために、各接続状態に応じた表示をする表示部を備えている。当該表示部は、接続状態に対応した色を区別して表示するものである。
【０００６】
【特許文献１】特許第３２７１１２４号公報
【０００７】
特許文献１のマトリックススイッチャーのように、複数の接続状態を色分けして表示する表示部には、多色発光可能な発光素子を用いることになるか、または、液晶モニタなどを用いることになる。これら表示部は、その構成が大型化し、制御系統が複雑になり、製造コストも増大するなどの課題がある。また、区別すべき接続状態の数が多くなると、表示色もそれに応じて必要になる。多くの色が一度に表示されることで逆に視認しづらくなることもあるので、区別する接続状態の数には制限がある。
【０００８】
そこで、単色のＬＥＤ（単色ＬＥＤ）によって表示部を構成することができれば、表示が視認しやすく、かつ、制御系統も簡易であるから安価に製造でき、しかも、必要最低限の接続状態表示をすればよい。しかし、映像信号と音声信号の接続先を個別に切り換えるには、１つの出力系統に対して映像と音声が入力される入力系統が同じときを示す状態、映像と音声の入力系統が異なるときを示す状態、何も接続されていないときを示す状態、の少なくとも３つの状態を区別して表示する必要がある。
【０００９】
単色ＬＥＤを表示部に用いると、２つの状態（点灯と消灯）の表示をすることはできるが、３つ以上の状態を表示させるには、工夫が必要となる。このため、映像信号と音声信号の接続を個別に行うようなマトリックススイッチャーにおいては、特許文献１に記載されているような色分け可能な表示部を用いている。しかし、単色ＬＥＤを用いて３つ以上の状態を表示することができる表示部を有するマトリックススイッチャーは知られていない。
【発明の概要】
【発明が解決しようとする課題】
【００１０】
本発明は、上記の課題に鑑みてなされたものであって、複数の出力系統毎に接続される入力系統からの映像信号と音声信号を個別に選択して切り換えることができるマトリックススイッチャーにおいて、単色ＬＥＤを用いた表示部によって、各出力系統への複数の接続状態を表示することができるマトリックススイッチャーを提供することを目的とする。
【課題を解決するための手段】
【００１１】
本発明は複数の入力系統のいずれかを出力系統に選択的に接続するマトリックススイッチャーに関するものであって、出力系統に接続される入力系統を、選択的に切り換えて接続させるスイッチからなるスイッチマトリックス回路と、出力系統と上記入力系統の接続状態を単色ＬＥＤの点灯状態によって表示する単色ＬＥＤマトリックス回路と、スイッチマトリックス回路における接続状態と、単色ＬＥＤマトリックス回路における単色ＬＥＤの点灯状態と、を制御する制御部と、を有し、制御部は、出力系統から出力される映像信号と音声信号が同じ入力系統から入力される映像信号と音声信号である接続状態（以下「第１接続状態」という。）における単色ＬＥＤの点灯状態と、出力系統から出力される映像信号と音声信号が異なる入力系統から入力される映像信号と音声信号である接続状態（以下「第２接続状態」という。）における単色ＬＥＤの点灯状態と、を異ならせることを主な特徴とする。
【発明の効果】
【００１２】
本発明によれば、単色ＬＥＤによって、出力系統に接続されている入力系統の状態（接続状態）が複数であっても視認しやすい状態で明確に表示することができるので、安価な部品で接続状態表示の視認性に優れたマトリックススイッチャーを得ることができる。
【図面の簡単な説明】
【００１３】
【図１】本発明に係るマトリックススイッチャーの実施形態を示すブロック図である。
【図２】上記マトリックススイッチャーの一部の構成の例を詳細に示すブロック図である。
【図３】上記マトリックススイッチャーが有するスイッチマトリックスの例を示す図である。
【図４】上記マトリックススイッチャーが有する単色ＬＥＤマトリックスの例を示す図である。
【図５】上記マトリックススイッチャーが有するＭＵＸの内部構成の例を示す図である。
【図６】上記ＬＥＤマトリックスにおける接続状態表示の例を示す図である。
【図７】上記マトリックススイッチャーが有するＭＵＸの接続状態の例を示す図である。
【図８】上記ＬＥＤマトリックスにおける接続状態表示の別の例を示す図である。
【図９】上記マトリックススイッチャーが有するＭＵＸの接続状態の別の例を示す図である。
【図１０】上記マトリックススイッチャーが有するＣＰＵが発する選択信号の例を示すタイミングチャートである。
【図１１】本発明に係るマトリックススイッチャーの別の実施形態に係るＬＥＤマトリックスの接続状態表示の例を示す図である。
【図１２】上記別の実施形態に係るＬＥＤマトリックスの別の接続状態表示の例を示す図である。
【図１３】上記別の実施形態に係るＬＥＤマトリックスの別の接続状態表示の例を示す図である。
【図１４】上記別の実施形態に係るＬＥＤマトリックスの別の接続状態表示の例を示す図である。
【図１５】上記別の実施形態に係るＬＥＤマトリックスの別の接続状態表示の例を示す図である。
【図１６】上記別の実施形態に係るＬＥＤマトリックスの別の接続状態表示の例を示す図である。
【発明を実施するための形態】
【００１４】
以下、本発明に係るマトリックススイッチャーの実施例について図を用いて説明する。図１は、本実施例に係るマトリックススイッチャーの機能ブロック図である。図１において、マトリックススイッチャー１００はＣＰＵ１０と、スイッチマトリックス２０と、単色ＬＥＤマトリックス３０と、ＭＵＸ４０と、入力系統５０と、出力系統６０と、を有してなる。本発明に係るマトリックススイッチャーは複数の入力系統５０から選択された少なくとも１の入力系統が出力系統６０に接続されるものであるから、出力系統６０は少なくとも１つ備わっていればよい。図１においては、入力系統５０と出力系統６０は、それぞれ複数ある例を示している。
【００１５】
マトリックススイッチャー１００が有する入力系統５０は、少なくとも一組の映像入力端子と音声入力端子を有してなる。この映像入力端子と音声入力端子には、信号の入力元となる装置が接続される。よって、マトリックススイッチャー１００は、複数の装置からの入力信号を出力系統に出力することができる構成を有している。
【００１６】
マトリックススイッチャー１００が有する出力系統６０は、少なくとも一組の映像出力端子と音声出力端子を有してなる。この映像出力端子と音声出力端子には、映像信号と音声信号の出力先となる装置が接続される。よって、マトリックススイッチャー１００は、各出力系統６０に接続された入力系統５０からの入力信号が、複数の出力系統６０のそれぞれに接続されている装置から出力することができる構成を有している。
【００１７】
なお、出力系統６０は１つでもよい。すなわち、本発明に係るマトリックススイッチャーは、１の出力系統から出力される映像信号と音声信号を、複数の入力系統５０のいずれかから入力される映像信号と音声信号にするかを、選択的に切り換えて接続させることができる。
【００１８】
ここで、「出力系統６０と入力系統５０を接続させる」とは、「入力系統５０から入力された信号が出力系統６０から出力される状態」になるように、マトリックススイッチャー１００において複数設けられている入力系統５０から選択された入力系統５０に係る映像入力端子（音声入力端子）と、当該出力系統６０の映像出力端子（音声出力端子）とを、後述するＭＵＸ４０において接続させるように、制御部１０が、スイッチマトリックス２０からの信号に応じた制御信号を、ＭＵＸ４０に出力する動作をいう。
【００１９】
ＣＰＵ１０は、マトリックススイッチャー１００の全体的な動作の制御をする制御部である。スイッチマトリックス２０に対して行われた所定の操作に応じて、１の出力系統６０に対して選択された入力系統５０を接続させるようにＭＵＸ４０に対して制御信号を発すると同時に、当該接続された状態に応じて表示を制御する信号（以下「表示信号」という。）を後述する単色ＬＥＤマトリックス３０に対して発する。この表示信号によって、単色ＬＥＤマトリックス３０は、表示状態を変化させる。
【００２０】
スイッチマトリックス２０は、マトリックススイッチャー１００の筐体外部に配置された図示しない操作ボタンと、操作ボタンへの操作（押下）を検出するスイッチと、を有してなる。操作ボタンが押下されたときに、当該選択操作に応じた信号（以下「選択信号」という。）がＣＰＵ１０に通知される。
【００２１】
単色ＬＥＤマトリックス３０は、マトリックススイッチャー１００の筐体外部に配置された図示しない表示部を構成する。単色ＬＥＤマトリックス３０は、各出力系統６０と入力系統５０との接続状態を表示する単色ＬＥＤを有してなる。単色ＬＥＤマトリックス３０が有する単色ＬＥＤは、スイッチマトリックス２０が有する選択スイッチに対応して配置されている。よって、所定の操作が行われたスイッチマトリックス２０の選択スイッチの配置位置に応じた単色ＬＥＤに対して、ＣＰＵ１０から表示信号が通知される。この表示信号に応じて単色ＬＥＤマトリックス３０の該当する位置の単色ＬＥＤの点灯状態が変化する。
【００２２】
ＭＵＸ４０は、スイッチマトリックス２０からの選択信号に応じてＣＰＵ１０が発する制御信号によって、入力系統５０と出力系統６０の接続を切り換える選択的接続回路（セレクタ）である。
【００２３】
ここで、マトリックススイッチャー１００が備えるＭＵＸ４０の構成について、説明をする。図２は、ＭＵＸ４０の内部構成と動作の例を示すイメージ図である。図２において、１の入力系統５０は、映像入力端子５１と音声入力端子５２とを有してなる。また、１の出力系統６０は、映像入力端子６１と音声入力端子６２とを有してなる。映像入力端子５１と映像出力端子６１はＭＵＸ４１を介して接続され、音声入力端子５２と音声出力端子６２はＭＵＸ４２を介して接続されるように構成されている。
【００２４】
ＭＵＸ４１は、ＣＰＵ１０から通知される制御信号に応じて、映像入力端子５１と映像出力端子６１とを接続させる。ＭＵＸ４２は、ＣＰＵ１０から通知される制御信号に応じて、音声入力端子５２と音声出力端子６２とを接続させる。ＭＵＸ４１とＭＵＸ４２はＣＰＵ１０から通知される制御信号に応じて、１の出力系統６０を構成する映像出力端子６１と音声出力端子６２に対して、それぞれ別々の入力系統５０に含まれる映像入力端子５１と音声入力端子５２を、接続させることができる。
【００２５】
次に、スイッチマトリックス２０について説明する。図３は、スイッチマトリックス２０の構成を模式的に示す概念図である。図３において、スイッチマトリックス２０は、紙面縦方向に出力系統６０を表す横線が並んでおり、紙面横方向に入力系統５０と、入力系統５０と出力系統６０の接続を解除する接続解除スイッチであるＯＦＦスイッチを表す縦線が並んでいる。図３は、４つの出力系統６０（ＯＵＴ１からＯＵＴ４）と、８つの入力系統５０（ＩＮ１からＩＮ８）を備える例を表している。図３において、縦線と横線の交点２００が接続されると、入力系統５０と出力系統６０が接続される。図３において、接続されている交点には、符号２０１を付して表している。例えば、図３は、入力系統５０（ＩＮ１）と出力系統６０（ＯＵＴ１）、入力系統５０（ＩＮ２）と出力系統６０（ＯＵＴ２）、のそれぞれが接続されている状態を表している。
【００２６】
なお、スイッチマトリックス２０は、図３において図示していない「接続状態選択ボタン」に係るスイッチ（以下「接続状態選択スイッチという」。）を有している。接続状態選択スイッチは、出力系統６０と入力状態５０との接続状態を選択するスイッチであって、このスイッチの状態によって、後述するように、選択ボタンが操作されたときの接続動作が異なる。
【００２７】
図３に戻る。各交点２００に対応する位置に、図示しない選択ボタンが配置されており、この選択ボタンに所定の操作（例えば、押下操作）が加えられると、交点２００に配置されている各スイッチ（接点）が作動して、これに対応する選択信号がＣＰＵ１０に通知される。この選択ボタンとスイッチを一体として「選択スイッチ」という。
【００２８】
図３に示したスイッチマトリックス２０の場合、４個の出力系統６０と、８個の出力系統６０を選択するために３２個（４×８）の交点２００に対応して選択スイッチが配置される。また、スイッチマトリックス２０には、各出力系統６０と入力系統５０との接続を切断するためのスイッチを有するＯＦＦスイッチが、出力系統６０に一つずつ配置される。
【００２９】
次に、単色ＬＥＤマトリックス３０について説明する。図４は、本実施例に係る単色ＬＥＤマトリックス３０の外観の例を示す図である。ＬＥＤマトリックス３０は、マトリックススイッチャー１００の前面に配置されるので、図４は、マトリックススイッチャー１００の正面図でもある。図４において、単色ＬＥＤマトリックス３０は、出力系統６０に接続されている入力系統５０を表示するＬＥＤを有する選択スイッチ３１と、出力系統６０と入力系統５０の接続を切断する（解除する）スイッチであって、点灯によって出力系統６０がされていない状態を示すＬＥＤを有するＯＦＦスイッチ３２と、各入力系統５０から入力される映像信号と音声信号を、別々の出力系統６０から出力するように接続状態を選択する接続状態選択スイッチであるＳＥＴキー３３と、を有してなる。
【００３０】
選択スイッチ３１とＯＦＦスイッチ３２には、各ＬＥＤの光が透過する素材で形成されたカバーが被せられている。このカバーに対して所定の操作をすることで、当該選択スイッチ３１に対応するスイッチマトリックス２０のスイッチ操作が行われる。
【００３１】
図４は、マトリックススイッチャー１００に動作電源を投入した直後の単色ＬＥＤマトリックス３０に点灯表示状態の例を示している。図４に示すように、各出力系統６０において、入力系統５０との接続を示す「全点灯」表示は、ＯＦＦスイッチ３２のみであり、ＩＮ１からＩＮ８は消灯している。なお、以下の説明において、映像信号と音声信号が同じ入力系統５０から供給される接続状態（第１接続状態）にあるとき、すなわち、映像信号と音声信号の出力先が分離して選択されていない状態を示す単色ＬＥＤマトリックス３０における表示を「全点灯」といい、選択スイッチ３１およびＯＦＦスイッチ３２を黒色の塗りつぶして表すこととする。
【００３２】
また、映像信号と音声信号が分離して選択されているときであって、映像信号のみが選択されている選択スイッチ３１およびＯＦＦスイッチの表示も黒色の塗りつぶしを用いて表すこととする。
【００３３】
また、映像信号と音声信号が異なる入力系統５０から供給される接続状態（第２接続状態）にあるとき、すなわち、音声信号と映像信号が分離して接続選択されている状態を示す単色ＬＥＤマトリックス３０における表示を「半点灯」といい、選択スイッチ３１およびＯＦＦスイッチ３２を網掛けにて表すこととする。
【００３４】
なお、本実施例に係るマトリックススイッチャー１００は、第１接続状態の表示と、映像信号のみが選択されているときの表示を「半点灯」とし、第２接続状態の表示を「半点灯」としてもよい。
【００３５】
マトリックススイッチャー１００において、入力系統５０と出力系統６０の動作の説明をする。選択スイッチ３１が押下されると、対応するスイッチマトリックス２０の接点２００の状態が変化し、この変化が選択信号としてＣＰＵ１０に伝達される。言い換えると、選択スイッチ３１の押下によって変化する接点２００をＣＰＵ１０が検知する。
【００３６】
上記の選択信号（スイッチ２００の状態変化の検知）に応じて、ＣＰＵ１０が、制御信号をＭＵＸ４０に通知する。ＭＵＸ４０は、セレクタであるＭＵＸ４１とＭＵＸ４２を有しているので、ＣＰＵ１０から通知された制御信号に応じて、ＭＵＸ４１とＭＵＸ４２はそれぞれ、操作された出力系統６０に対して、選択された入力系統５０が接続されるように作動する。
【００３７】
ここで、ＭＵＸ４０について図５を用いて説明をする。図５は、ＭＵＸ４０を構成するＭＵＸ４１とＭＵＸ４２の内部構造を模式的に表した概念図である。セレクタであるＭＵＸ４１とＭＵＸ４２は、入力系統５０が有するＩＮ１からＩＮ８の信号線と、出力系統６０が有するＯＵＴ１からＯＵＴ４とを接続線を選択可能に構成されている。図５は、図４に示したように、マトリックススイッチャー１００の電源を投入した直後の状態を表している。ＩＮ１乃至ＩＮ８とＯＵＴ１乃至ＯＵＴ４を結ぶ点線は、各入力系統５０と各出力系統６０とを選択的に接続可能とする信号線が接続されていない状態を表している。すなわち、図５は、入力系統５０と出力系統６０がいずれも接続していない状態を示している。
【００３８】
次に、選択スイッチ３１とＯＦＦスイッチ３２と共に、ＳＥＴキー３３を用いて、各出力系統６０に接続される入力系統５０を選択操作したときの、単色ＬＥＤマトリックス３０の表示状態の例について説明する。まず、各出力系統６０において映像信号と音声信号が分離することなく同じ入力系統５０から供給される状態に係る単色マトリックス３０の表示状態の例を図６に示す。図６は、「ＯＵＴ１」には「ＩＮ１」が、「ＯＵＴ２」には「ＩＮ２」が、「ＯＵＴ３」には「ＩＮ３」が接続されており、「ＯＵＴ４」は「ＯＦＦ」であるから出力される信号はない状態を表示している。また各出力系統６０において、映像信号と音声信号はそれぞれ同じ入力系統５０から供給される状態を表示している。
【００３９】
図６に示した状態におけるＭＵＸ４１とＭＵＸ４２の接続状態の例を図７に示す。図７において、ＩＮ１からＩＮ８とＯＵＴ１からＯＵＴ４を結ぶ実線は、入力系統５０と出力系統６０が接続されている状態を示している。図７に示すように、映像信号の接続をするＭＵＸ４１と音声信号の接続をするＭＵＸ４２はそれぞれ、「ＩＮ１」と「ＯＵＴ１」、「ＩＮ２」と「ＯＵＴ２」、「ＩＮ３」と「ＯＵＴ３」が接続されている。また、「ＯＵＴ４」に接続されている入力系統５０（ＩＮ１からＩＮ８）はない。
【００４０】
図８は、単色ＬＥＤマトリックス３０の表示状態の例であって、図６の状態から、ＳＥＴキー３３が押下されたままで「ＯＵＴ２」の「ＩＮ１」の選択スイッチ３１が押下された状態を示している。ＳＥＴキー３３と選択スイッチ３１が同時に操作されたことで、「ＯＵＴ２」に係る出力系統６０から出力される音声信号は、「ＩＮ２」に係る入力系統５０から入力されるものではなく、「ＩＮ１」から入力されるものに切り換えられる。すなわち、ＳＥＴキー３３と同時に選択スイッチ３１を操作すると、映像信号と音声信号の入力系統５０を分離して選択することができる。
【００４１】
また、図８は、図６の状態からＳＥＴキー３３を押下された状態で「ＯＵＴ３」のＯＦＦスイッチ３２が押下された状態を示している。ＳＥＴキー３３と選択スイッチ３１が同時に操作されたことで、「ＯＵＴ３」に係る出力系統６０への音声信号は、入力されない状態、すなわち、「ＯＵＴ３」からは音声信号が出力されない状態となる。このとき、「ＯＵＴ３」からは、映像信号は出力される状態が維持されている。
【００４２】
また、図８は、図６の状態からＳＥＴキー３３が押下された状態で「ＯＵＴ４」」の「ＩＮ１」が押下され状態を示している。ＳＥＴキー３３と選択スイッチ３１が同時に操作されたことで、「ＯＵＴ４」に係る出力系統６０への映像信号は入力されない状態、すなわち、「ＯＵＴ４」からは映像信号が出力されない状態となる。このとき「ＯＵＴ４」からは、音声信号は出力される状態が維持されている。
【００４３】
図８において、全点灯している選択スイッチには符号３１ａを付し、半点灯している選択スイッチに符号３１ｂを付している。また、全点灯しているＯＦＦスイッチには符号３２ａを付し、半点灯しているＯＦＦスイッチには、符号３２ｂを付している。全点灯は、映像信号と音声信号が選択されていることを示し、半点灯は音声信号のみが選択されていることを示している。
【００４４】
このようにマトリックススイッチャー１００は、ＳＥＴキー３３を押しながら選択スイッチ３１またはＯＦＦスイッチ３２が押下されると、別々の入力系統５０から入力される映像信号と音声信号が、１の出力系統６０から出力される状態に接続を切り換えることができる。映像信号と音声信号の接続を別の入力系統５０に切り換えたときは、映像信号の入力系統５０を示す選択スイッチ３１ａが全点灯した状態（第１接続状態）となり、音声信号の入力系統５０を示す選択スイッチ３１ｂは半点灯した状態（第２接続状態）となる。
【００４５】
すなわち、単色ＬＥＤマトリックス３０の各出力系統６０に並ぶ選択スイッチ３１およびＯＦＦスイッチ３２において、全点灯している選択スイッチ３１ａのみであれば、映像信号と音声信号の入力系統５０は同じ入力系統５０であって、映像信号と音声信号が分離せずに選択されていることを容易に視認することができる。また、各出力系統６０に並ぶ選択スイッチ３１およびＯＦＦスイッチ３２において、全点灯している選択スイッチ３１ａと半点灯している選択スイッチ３２ａおよびＯＦＦスイッチ３２ａが混在していれば、映像信号と音声信号の入力系統５０は分離されて選択されていることを容易に視認することができる。また、映像信号と音声信号の入力の有無と入力元を一目で視認することができる。
【００４６】
続いて、図８に示した状態におけるＭＵＸ４１とＭＵＸ４２の接続状態の例について説明する。入力系統５０と出力系統６０の接続のうち、図８（ａ）は映像信号に係る接続を行うＭＵＸ４１の接続状態の例を示している。図８（ｂ）は音声信号に係る接続を行うＭＵＸ４２の接続状態の例を示している。
【００４７】
図９（ａ）に示すように、映像信号の接続をするＭＵＸ４１は、「ＩＮ１」と「ＯＵＴ１」、「ＩＮ２」と「ＯＵＴ２」、「ＩＮ３」と「ＯＵＴ３」が接続されているが、「ＯＵＴ４」に接続されている入力系統５０（ＩＮ１からＩＮ８）はない。
【００４８】
また、図９（ｂ）に示すように、音声信号の接続をするＭＵＸ４２は、「ＩＮ１」と「ＯＵＴ１」、「ＩＮ１」と「ＯＵＴ２」、「ＩＮ１」と「ＯＵＴ４」が接続されている。
【００４９】
このように、本実施例に係るマトリックススイッチャー１００は、入力系統５０から入力される映像信号と音声信号の出力先を、別々の出力系統６０に向けて設定する（切り換える）ことができる。換言すれば、各出力系統６０は、映像信号と音声信号の入力元となる入力系統５０を、それぞれ別の系統に設定することができる。
【００５０】
本実施例に係るマトリックススイッチャー１００は、入力系統５０と出力系統６０の接続において、３つの接続状態を有する。具体的には、映像信号と音声信号を同じ系統にて接続された「第１接続状態」、映像信号と音声信号を別々の系統にて接続された「第２接続状態」、映像信号と音声信号ともにどの系統からも接続されていない「第３接続状態」、である。
【００５１】
ＣＰＵ１０は、上記の複数の接続状態に応じて、単色ＬＥＤマトリックス３０の点灯を制御する。そのためにＣＰＵ１０は、選択スイッチ３１の押下状態に応じて異なる表示信号を単色ＬＥＤマトリックス３０に対して出力する。図１０にＣＰＵ１０が出力する表示信号の例をタイミングチャートの形式にて示す。
【００５２】
本実施例に係るマトリックススイッチャー１００において、表示信号は単色ＬＥＤに供給される電流による。図１０（ａ）において、表示信号９１が符号Ｌの状態のときは、単色ＬＥＤは消灯している。表示信号９１が符号Ｈの状態のときは、単色ＬＥＤは全点灯状態となる。選択スイッチ３１が操作されて映像信号と音声信号の入力系統５０が同じ入力系統５０となったタイミングＴ１の後、ＣＰＵ１０は、表示信号９１を符号Ｈの状態で出力し続ける。この表示信号９１は単色ＬＥＤへの供給電流の状態を示すものであるから、表示信号９１が「Ｈ」となってＣＰＵ１０から出力され続けると、対応する単色ＬＥＤは点灯し続けて、全点灯状態となる。この状態が第１接続状態である。
【００５３】
タイミングＴ２において、ＳＥＴキー３２と選択スイッチ３１が操作され、映像信号と音声信号の入力系統５０が異なる系統に接続されたときは、その後の表示信号９１は所定の周期をもって「Ｈ」と「Ｌ」を繰り返す状態となる。このときの表示信号９１のデューティー比は例えば２０％程度の矩形波である。周期的に「Ｈ」と「Ｌ」を繰り返すと、これに同期して単色ＬＥＤは点滅を繰り返すので利用者には、暗く点灯しているように見える。この状態が第２接続状態である。なお、第２接続状態を表示する際の表示信号９１のデューティー比は、略１０パーセントから略７０パーセント程度の間で、適宜設定すればよく、略２０％に限るものではない。
【００５４】
その後、タイミングＴ３において、選択スイッチ３１が操作されてＯＦＦスイッチ３２が押下されると、当該ＯＦＦスイッチ３２に対応する出力系統６０の「ＩＮ１」から「ＩＮ８」のＬＥＤは消灯されるように、表示信号９１は「Ｌ」レベルで出力される。この状態が第３接続状態である。
【００５５】
このように、本実施例に係るマトリックススイッチャー１００は、出力系統６０と入力系統５０の接続状態に応じて、出力系統６０に接続されている入力系統５０の表示を行う単色ＬＥＤマトリックス３０のＬＥＤの点灯状態を、ＬＥＤへの供給電流である選択信号をＰＷＭ信号として変化させることで、少なくとも３つの状態を表すことができる。
【００５６】
表示信号の別の実施例について図１０（ｂ）を用いて説明する。図１０（ｂ）において、表示信号９２は、ＣＰＵ１０が単色ＬＥＤの供給する電流の波形を示している。表示信号９２が符号Ｌの状態のときは、単色ＬＥＤは消灯している。この場合の符号Ｌは電流が供給されていない状態を示している。
表示信号９２が符号Ｈ１の状態のとき、すなわち、供給される電流が一定の値以上の電流であれば、単色ＬＥＤは全点灯状態となる。選択スイッチ３１が操作されて映像信号と音声信号の入力系統５０が同じ入力系統５０となったタイミングＴ１の後、ＣＰＵ１０は、表示信号９２を符号Ｈ１の状態で出力し続ける。これによって対応する単色ＬＥＤは点灯し続けて、全点灯状態となる。この状態が第１接続状態である。
【００５７】
タイミングＴ２において、ＳＥＴキー３２と選択スイッチ３１が操作され、映像信号と音声信号の入力系統５０が異なる系統に接続されたときは、その後の表示信号９２は符号Ｈ１よりも小さい値の電流を示す符号Ｈ２となる。符号Ｈ１よりも符号Ｈ２の方が電流値は小さいので単色ＬＥＤは、暗く点灯しているように見える。
【００５８】
その後、タイミングＴ３において、選択スイッチ３１が操作されてＯＦＦスイッチ３２が押下されると、当該ＯＦＦスイッチ３２に対応する出力系統６０の「ＩＮ１」から「ＩＮ８」のＬＥＤは消灯されるように、表示信号９２は「Ｌ」レベルで出力される。この状態が第３接続状態である。
【００５９】
このように、本実施例に係るマトリックススイッチャー１００は、出力系統６０と入力系統５０の接続状態に応じて、出力系統６０に接続されている入力系統５０の表示を行う単色ＬＥＤマトリックス３０のＬＥＤの点灯状態を、ＬＥＤへの供給電流の値を変化させることで、少なくとも３つの状態を表すことができる。
【００６０】
以上のように、本発明に係るマトリックススイッチャーは、単色ＬＥＤを用いて、入力系統５０と出力系統６０の接続において、映像信号と音声信号を異なる系統に接続させた状態も含む、少なくとも３つ以上の接続状態を視認可能に表示することができる。
【００６１】
次に、本発明に係るマトリックススイッチャーの別の実施例について、先に説明をした実施例とは異なる部分を中心に説明をする。本実施例に係るマトリックススイッチャー１００ａは、ＳＥＴキー３３の代わりに選択モードを切り替えて選択することができる別の接続状態選択スイッチを備えるものである。
【００６２】
図１１は、本実施例に係るマトリックススイッチャー１００ａが備える単色マトリックス３０ａの外観の例を示す正面図であって、マトリックススイッチャー１００ａの動作電源を投入した直後の単色ＬＥＤマトリックス３０ａの点灯表示状態の例を示している。
【００６３】
単色ＬＥＤマトリックス３０ａは、ＳＥＴキー３３の代わりに接続状態選択スイッチである「Ｖ／Ａスイッチ３４」を有してなる。Ｖ／Ａスイッチ３４は、選択ボタン３１と同じ素材からなり、押下操作によって点灯状態が変化するものである。Ｖ／Ａスイッチ３４の点灯状態によって、各出力系統６０に接続される入力系統５０が選択されるときに、映像信号と音声信号を同じ入力系統５０とするか、映像信号のみの選択とするか、音声信号のみの選択とするか、いずれの形態による切り換え選択が行われる状態にあるか、容易に視認することができる。
【００６４】
Ｖ／Ａスイッチ３４が「全点灯状態」であれば、そのときに押下された選択スイッチ３１に係る出力系統６０は、映像信号と音声信号が同じ入力系統５０が接続される。このＶ／Ａスイッチ３４が全点灯状態のときを「第１接続モード」という。
【００６５】
また、Ｖ／Ａスイッチ３４が「半点灯状態」であれば、そのときに押下された選択スイッチ３１に係る出力系統６０は、音声信号のみの入力系統５０が接続される。このＶ／Ａスイッチ３４が半点灯状態のときを「第２接続モード」という。
【００６６】
また、Ｖ／Ａスイッチ３４が「消灯状態」であれば、そのときに押下された選択スイッチ３１に係る出力系統６０は、映像信号のみの入力系統５０が接続される。このＶ／Ａスイッチ３４が消灯状態のときを「第３接続モード」という。
【００６７】
図１１に示すように、各出力系統６０の入力系統５０との接続を示すＩＮ１からＩＮ８に係る選択スイッチ３１は、すべて「消灯状態」で、ＯＦＦスイッチ３２のみが「全点灯状態」になっているのは、すべての出力系統６０に対して入力系統５０からの映像信号も音声信号も選択されていない状態を表している。
【００６８】
Ｖ／Ａスイッチ３４の表示が第１接続モードのときに（図１１）、ＯＵＴ１のＩＮ１に係る選択スイッチ３１が押下されると、図１２に示す状態となる。図１２に示す状態は、出力系統６０のＯＵＴ１から、入力系統５０のＩＮ１から入力される映像信号と音声信号が出力される状態であることを示している。すなわち、ＯＵＴ１は第１接続状態になっていることを表示している。このように、Ｖ／Ａスイッチ３４が全点灯状態であるとき（第１接続モードであるとき）に選択スイッチ３１が操作されると、操作された選択スイッチ３１に係る出力系統６０から出力される信号の入力元として、同じ入力系統５０が選択された状態（第１接続状態）となる。
【００６９】
また、Ｖ／Ａスイッチ３４の表示が第１接続モードのときに（図１１）、Ｖ／Ａスイッチ３４を一回押下すると、Ｖ／Ａスイッチ３４の表示は半点灯状態の第２接続モードになる（図１３）。図１３に示す状態においてＯＵＴ４のＩＮ１に係る選択スイッチ３１が押下されると、図１４に示す状態となる。このとき、ＯＵＴ４のＩＮ１は半点灯となり、ＯＵＴ４のＯＦＦスイッチ３２は全点灯状態のままである。
【００７０】
図１４に示す状態は、出力系統６０のＯＵＴ４からは、入力系統５０のＩＮ１から入力される音声信号のみが出力されて、映像信号は何も出力されない状態であることを示している。このように、Ｖ／Ａスイッチ３４が半点灯状態であるとき（第２接続モードであるとき）に選択スイッチ３１が操作されると、操作された選択スイッチ３１に係る出力系統６０から出力される音声信号の入力元のみが選択された状態（第２接続状態）となる。
【００７１】
また、Ｖ／Ａスイッチ３４が半点灯の第２接続モードのときに（図１３）、Ｖ／Ａスイッチ３４を一回押下すると、Ｖ／Ａスイッチ３４が消灯状態の第３接続モードとなる（図１５）。図１５に示す状態においてＯＵＴ３のＩＮ３に係る選択スイッチ３１が押下されると、図１６に示す状態となる。このとき、ＯＵＴ３のＩＮ３は全点灯となり、ＯＵＴ３のＯＦＦスイッチ３２は半点灯状態となる。
【００７２】
図１６に示す状態は、出力系統６０のＯＵＴ３からは、入力系統５０のＩＮ３から入力される映像信号のみが出力されて、音声信号はなにも出力されない状態であることを示している。このように、Ｖ／Ａスイッチ３４が消灯状態であるとき（第３接続モードであるとき）に選択スイッチ３１が操作されると、操作された選択スイッチ３１に係る出力系統６０から出力される映像信号の入力元のみが選択された状態（第３接続状態）となる。
【００７３】
さらに、Ｖ／Ａスイッチ３４によって、接続モードを選択した状態で、選択スイッチ３１およびＯＦＦスイッチ３２への選択操作を行うことで、映像信号と音声信号、映像信号のみ、音声信号のみの、選択を容易に切り換えることができる。
【００７４】
なお、選択スイッチ３１、ＯＦＦスイッチ３２、Ｖ／Ａスイッチ３４の点灯状態を変化させる方法は、すでに説明をした実施例と同様に、単色ＬＥＤマトリックス３０のＬＥＤへの供給電流である選択信号をＰＷＭ信号として、デューティー比を変化させか、または、選択信号である単色ＬＥＤへの供給電流の値を変化させることで、異なる輝度を実現させることができる。
【００７５】
以上のように、本実施例に係るマトリックススイッチャーによれば、複数の入力系統５０のいずれかを出力系統６０に選択的に接続することができる構成として、入力系統５０が映像入力端子と音声入力端子とを有し、出力系統６０が映像出力端子と音声出力端子とを有し、この出力系統６０に接続される入力系統５０を、選択的に切り換えて接続させるスイッチからなるスイッチマトリックス回路２０と、スイッチマトリックス回路２０によって出力系統に接続された入力系統の状態を単色ＬＥＤの点灯状態によって表示する単色ＬＥＤマトリックス回路３０と、スイッチマトリックス回路２０における接続と、単色ＬＥＤマトリックス回路３０における単色ＬＥＤの点灯状態と、を制御する制御部（ＣＰＵ１０）と、を有し、制御部が、同じ入力系統５０に含まれる映像入力端子と音声入力端子とが出力系統６０の映像出力端子と音声入力端子に接続される状態（第１接続モード）と、異なる入力系統５０に含まれる映像出力端子と音声出力端子とが出力系統６０の映像出力端子と音声入力端子に接続される状態であって、音声信号の出力のみが選択される状態（第２接続モード）と、異なる入力系統５０に含まれる映像出力端子と音声出力端子とが出力系統６０の映像出力端子と音声入力端子に接続される状態であって、映像信号の出力のみが選択される状態（第３接続モード）と、を異ならせることを特徴とする。
【００７６】
また、本実施例に係るマトリックススイッチャーは、複数の接続モードを表示する接続状態選択スイッチを有し、制御部は、接続状態選択スイッチに係る単色ＬＥＤの点灯状態を、第１接続モードと、第２接続モードと、第３接続モードと、を区別可能に異ならせることを特徴とする。
【００７７】
以上のように、本発明に係るマトリックススイッチャーは、単色ＬＥＤを用いて、入力系統５０と出力系統６０の接続において、映像信号と音声信号を異なる系統に接続させた状態も含む、少なくとも３つ以上の接続状態を視認可能に表示することができ、その選択操作も容易に行うことができる。
【符号の説明】
【００７８】
１０  ＣＰＵ
２０  スイッチマトリックス
３０  単色ＬＥＤマトリックス
３１  選択スイッチ
３２  ＯＦＦスイッチ
３３  ＳＥＴキー
３４  Ｖ／Ａスイッチ
４０  ＭＵＸ
５０  入力系統５０
６０  出力系統６０
【図１】
2013021605.tif 000003
【図２】
2013021605.tif 000004
【図３】
2013021605.tif 000005
【図４】
2013021605.tif 000006
【図５】
2013021605.tif 000007
【図６】
2013021605.tif 000008
【図７】
2013021605.tif 000009
【図８】
2013021605.tif 000010
【図９】
2013021605.tif 000011
【図１０】
2013021605.tif 000012
【図１１】
2013021605.tif 000013
【図１２】
2013021605.tif 000014
【図１３】
2013021605.tif 000015
【図１４】
2013021605.tif 000016
【図１５】
2013021605.tif 000017
【図１６】
2013021605.tif 000018